(57)【要約】      （修正有）【課題】映像機器で表示される映像に関連した何らかの動作を情報端末にて簡易に行わせることを可能とする情報閲覧システムを提供する。【解決手段】第１の取得部は、映像情報を取得する。第１の制御部は、第１の取得部により取得された映像情報に基づく映像表示のために表示デバイスを制御する。第２の取得部は、第１の取得部により取得された映像情報に関連付けられた制御情報を取得する。第２の制御部は、第２の取得部により取得された制御情報の無線送信のために通信デバイスを制御する。受信部は、通信デバイスから送信された制御情報を受信する。処理部は、受信部により受信された制御情報に基づき、前記表示デバイスにより表示される映像に関連した情報を情報端末の使用者に提示するための処理を実行する。【選択図】図１
2015231161.tif 000002
【特許請求の範囲】
【請求項１】
映像機器および情報端末を含み、
前記映像機器は、
映像情報を取得する第１の取得部と、
前記第１の取得部により取得された前記映像情報に基づく映像表示のために表示デバイスを制御する第１の制御部と、
前記第１の取得部により取得された前記映像情報に関連付けられた制御情報を取得する第２の取得部と、
前記第２の取得部により取得された前記制御情報の無線送信のために通信デバイスを制御する第２の制御部とを具備し、
前記情報端末は、
前記通信デバイスから送信された前記制御情報を受信する受信部と、
前記受信部により受信された前記制御情報に基づき、前記表示デバイスにより表示される映像に関連した情報を前記情報端末の使用者に提示するための処理を実行する処理部とを具備した、
ことを特徴とする情報閲覧システム。
【請求項２】
情報配信装置をさらに含み、
前記情報配信装置は、更新タイミングにおいて、前記映像情報およびそれに関連付けられた前記制御情報とを前記映像機器へと送信する送信部を備え、
前記第１および第２の取得部は、前記送信部により送信された前記映像情報および前記制御情報をそれぞれ取得することを特徴とする請求項１に記載の情報閲覧システム。
【請求項３】
前記第２の制御部は、それが備えられた前記映像機器に対して前記情報端末が近接したことに応じて前記制御情報を無線送信するために前記通信デバイスを制御することを特徴とする請求項１または２に記載の情報閲覧システム。
【請求項４】
映像情報を取得する第１の取得部と、
前記第１の取得部により取得された前記映像情報に基づく映像表示のために表示デバイスを制御する第１の制御部と、
前記第１の取得部により取得された前記映像情報に関連付けられた制御情報を取得する第２の取得部と、
前記第２の取得部により取得された前記制御情報の無線送信のために通信デバイスを制御する第２の制御部と、
を具備したことを特徴とする映像機器。
【請求項５】
前記第２の制御部は、それが備えられた前記映像機器に対して、前記通信デバイスとの通信機能を有した情報端末が近接したことに応じて前記制御情報を無線送信するために前記通信デバイスを制御することを特徴とする請求項４に記載の映像機器。
【発明の詳細な説明】
【技術分野】
【０００１】
本発明の実施形態は、情報閲覧システムおよび映像機器に関する。
【背景技術】
【０００２】
サイネージ装置などの映像機器で表示される映像の視聴者が、その映像に関する、より詳細な情報を得ようとする場合、視聴者が所有する情報端末によりインターネットにアクセスすることが一般的となっている。
【０００３】
この場合、情報端末にインストールされた検索エンジンを用いて、視聴者が、映像からイメージしたキーワードにより所要の情報を検索することになり、視聴者の手間となっていた。
【０００４】
このような事情から、映像機器で表示される映像に関連した何らかの動作を情報端末にて簡易に行えることが望まれていた。
【先行技術文献】
【特許文献】
【０００５】
【特許文献１】特開２０１２−１００１３９号公報
【発明の概要】
【発明が解決しようとする課題】
【０００６】
本発明が解決しようとする課題は、映像機器で表示される映像に関連した何らかの動作を情報端末にて簡易に行わせることができる情報閲覧システムおよび映像機器を提供することである。
【課題を解決するための手段】
【０００７】
実施形態の情報閲覧システムは、第１，第２の取得部および第１，第２の制御部を備えた映像機器と、受信部および処理部を備えた情報端末とを含む。第１の取得部は、映像情報を取得する。第１の制御部は、第１の取得部により取得された映像情報に基づく映像表示のために表示デバイスを制御する。第２の取得部は、第１の取得部により取得された映像情報に関連付けられた制御情報を取得する。第２の制御部は、第２の取得部により取得された制御情報の無線送信のために通信デバイスを制御する。受信部は、通信デバイスから送信された制御情報を受信する。処理部は、受信部により受信された制御情報に基づき、前記表示デバイスにより表示される映像に関連した情報を情報端末の使用者に提示するための処理を実行する。
【図面の簡単な説明】
【０００８】
【図１】一実施形態に係る情報閲覧システムのブロック図。
【図２】図１中の関連テーブルの内容の一例を示す図。
【図３】図１中の情報配信装置が備えるＣＰＵの制御処理のフローチャート。
【図４】図１中のサイネージ装置が備えるＣＰＵの制御処理のフローチャート。
【図５】図１中の情報端末が備えるＣＰＵの制御処理のフローチャート。
【図６】図１に示すサイネージ装置、情報端末および情報配信装置の動作例のタイミング図。
【図７】図１に示す情報閲覧システムの活用状況の一例を表す図。
【発明を実施するための形態】
【０００９】
以下、実施の形態について図面を用いて説明する。
【００１０】
図１は本実施形態に係る情報閲覧システム１００のブロック図である。
【００１１】
情報閲覧システム１００は、例えば商業施設において、映像による広告を行うためのシステムである。情報閲覧システム１００は、サイネージ装置１０、情報端末２０および情報配信装置３０を含む。
【００１２】
サイネージ装置１０は、商業施設内のフロアなどに、商業施設への来訪客が視聴者となり得る状態で設置され、広告のための映像を表示する。サイネージ装置１０は、映像機器の一例である。
【００１３】
情報端末２０は、モバイルネットワーク２００およびインターネット３００を介してのデータ通信機能と、ＮＦＣ（near field communication）によるデータ通信機能とを備える。情報端末２０は、情報の閲覧のために使用者によって使用される。なお、モバイルネットワーク２００に代えて、無線ＬＡＮ（local area network）などの別のネットワークを用いても良い。
【００１４】
情報配信装置３０は、サイネージ装置１０で表示する映像や情報端末２０で表示する画像などの情報の配信のための処理などを行う。
【００１５】
サイネージ装置１０は、ＣＰＵ（central processing unit）１１、ＲＯＭ（read-only memory）１２、ＲＡＭ（random-access memory）１３、補助記憶デバイス１４、ＮＦＣユニット１５、表示デバイス１６、通信デバイス１７および伝送システム１８を含む。
【００１６】
ＣＰＵ１１、ＲＯＭ１２、ＲＡＭ１３および補助記憶デバイス１４は、伝送システム１８により接続されてコンピュータを構成する。
【００１７】
ＣＰＵ１１は、上記のコンピュータの中枢部分である。ＣＰＵ１１は、ＲＯＭ１２に記憶されたオペレーティングシステムや、ＲＯＭ１２または補助記憶デバイス１４に記憶されたアプリケーションプログラムに基づいて、サイネージ装置１０としての所期の機能を実現するための制御処理を実行する。この所期の機能の１つは、後述する制御処理により実現される機能である。
【００１８】
ＲＯＭ１２は、上記のコンピュータの主記憶部分である。ＲＯＭ１２は、上記のオペレーティングシステムおよびアプリケーションプログラムを記憶する。またＲＯＭ１２は、ＣＰＵ１１が各種の処理を行う上で参照するデータを記憶する場合もある。
【００１９】
ＲＡＭ１３は、上記のコンピュータの主記憶部分である。ＲＡＭ１３は、ＣＰＵ１１が各種の処理を行う上で参照するデータを記憶する。さらにＲＡＭ１３は、ＣＰＵ１１が各種の処理を行う上で一時的に使用するデータを記憶しておく、いわゆるワークエリアとして利用される。
【００２０】
補助記憶デバイス１４は、上記のコンピュータの補助記憶部分である。補助記憶デバイス１４は、上記のアプリケーションプログラム、ＣＰＵ１１が各種の処理を行う上で使用するデータ、あるいはＣＰＵ１１での処理によって生成されたデータを保存する。補助記憶デバイス１４としては、例えばＥＥＰＲＯＭ（electric erasable programmable read-only memory）、ＨＤＤ（hard disk drive）、あるいはＳＳＤ（solid state drive）などを使用できる。
【００２１】
ＮＦＣユニット１５は、サイネージ装置１０に近接された情報端末２０とＮＦＣによるデータ通信を行う。
【００２２】
表示デバイス１６は、ＣＰＵ１１の制御の下に画像を表示する。表示デバイス１６としては、液晶ディスプレイ、プラズマディスプレイ、あるいは液晶プロジェクタなどの周知の種々のデバイスが利用可能であり、周囲に居る複数の人間から目視できる程度の大画面のデバイスが用いられる。
【００２３】
通信デバイス１７は、インターネット３００を介した情報配信装置３０とのデータ通信を行う。
【００２４】
伝送システム１８は、ＣＰＵ１１、ＲＯＭ１２、ＲＡＭ１３、補助記憶デバイス１４、ＮＦＣユニット１５、表示デバイス１６および通信デバイス１７の間で授受されるデータを伝送する。伝送システム１８は、システムバスなどの各種のバスと、これらのバスと各部とを接続する各種のインタフェース回路とを含む周知のものであって良い。
【００２５】
情報端末２０は、ＣＰＵ２１、ＲＯＭ２２、ＲＡＭ２３、補助記憶デバイス２４、ＮＦＣユニット２５、タッチパネル２６、通信デバイス２７および伝送システム２８を含む。伝送システム２８は、ＣＰＵ２１、ＲＯＭ２２、ＲＡＭ２３、補助記憶デバイス２４、ＮＦＣユニット２５、タッチパネル２６および通信デバイス２７の間で授受されるデータを伝送する。伝送システム２８は、システムバスなどの各種のバスと、これらのバスと各部とを接続する各種のインタフェース回路とを含む周知のものであって良い。
【００２６】
ＣＰＵ２１、ＲＯＭ２２、ＲＡＭ２３および補助記憶デバイス２４は、伝送システム２８により接続されてコンピュータを構成する。
【００２７】
ＣＰＵ２１は、上記のコンピュータの中枢部分である。ＣＰＵ２１は、ＲＯＭ２２に記憶されたオペレーティングシステムや、ＲＯＭ２２または補助記憶デバイス２４に記憶されたアプリケーションプログラムに基づいて、情報端末２０としての所期の機能を実現するための制御処理を実行する。上記の所期の機能の一部は、例えば既存のスマートフォンが備える周知の機能であって良い。また上記の所期の機能の１つは、後述する制御処理により実現される機能である。
【００２８】
ＲＯＭ２２は、上記のコンピュータの主記憶部分である。ＲＯＭ２２は、上記のオペレーティングシステムおよびアプリケーションプログラムを記憶する。またＲＯＭ２２は、ＣＰＵ２１が各種の処理を行う上で参照するデータを記憶する場合もある。
【００２９】
ＲＡＭ２３は、上記のコンピュータの主記憶部分である。ＲＡＭ２３は、ＣＰＵ２１が各種の処理を行う上で参照するデータを記憶する。さらにＲＡＭ２３は、ＣＰＵ２１が各種の処理を行う上で一時的に使用するデータを記憶しておく、いわゆるワークエリアとして利用される。
【００３０】
補助記憶デバイス２４は、上記のコンピュータの補助記憶部分である。補助記憶デバイス２４は、上記のアプリケーションプログラム、ＣＰＵ２１が各種の処理を行う上で使用するデータ、あるいはＣＰＵ２１での処理によって生成されたデータを保存する。補助記憶デバイス２４としては、例えばＥＥＰＲＯＭなどを使用できる。
【００３１】
ＮＦＣユニット２５は、情報端末２０がサイネージ装置１０に近接された際に、ＮＦＣユニット１５との間でＮＦＣによるデータ通信を行う。
【００３２】
タッチパネル２６は、表示デバイスおよびタッチセンサを含む。表示デバイスは、ＧＵＩ画面などの任意の画面を表示する。表示デバイスとしては、例えばカラーＬＣＤ（liquid crystal display）等の周知のデバイスが利用できる。タッチセンサは、表示デバイスの表示面に重ねて配置されている。タッチセンサは、表示デバイスの表示面へのユーザのタッチ位置を検出し、その位置情報をＣＰＵ２１へと送る。タッチセンサとしては、周知のデバイスが利用できる。
【００３３】
通信デバイス２７は、モバイルネットワーク２００を介した通信を行う。通信デバイス２７は、モバイルネットワーク２００およびインターネット３００を介して情報配信装置３０と通信することもできる。
【００３４】
情報端末２０のハードウェアとしては、既存のスマートフォンやタブレット端末などのような、アプリケーションプログラムを任意にインストール可能なデバイスをそのまま利用できる。そしてこの種のデバイスが備える補助記憶デバイス２４に、そのデバイスの販売者あるいは使用者によって、後述する制御処理について記述したアプリケーションプログラムである制御プログラムがインストールされることにより情報端末２０が実現される。このとき制御プログラムは、磁気ディスク、光磁気ディスク、光ディスク、半導体メモリなどのようなリムーバブルな記録媒体に記録して、あるいはネットワークを介して販売者あるいは使用者へと配布される。なお制御プログラムは、ＲＯＭ２２に記憶されていても良い。
【００３５】
情報配信装置３０は、ＣＰＵ３１、ＲＯＭ３２、ＲＡＭ３３、補助記憶デバイス３４、通信デバイス３５および伝送システム３６を含む。伝送システム３６は、ＣＰＵ３１、ＲＯＭ３２、ＲＡＭ３３、補助記憶デバイス３４および通信デバイス３５の間で授受されるデータを伝送する。伝送システム３６は、システムバスなどの各種のバスと、これらのバスと各部とを接続する各種のインタフェース回路とを含む周知のものであって良い。
【００３６】
ＣＰＵ３１、ＲＯＭ３２、ＲＡＭ３３および補助記憶デバイス３４は、伝送システム３６により接続されてコンピュータを構成する。
【００３７】
ＣＰＵ３１は、上記のコンピュータの中枢部分である。ＣＰＵ３１は、ＲＯＭ３２に記憶されたオペレーティングシステムや、ＲＯＭ３２または補助記憶デバイス３４に記憶されたアプリケーションプログラムに基づいて、情報配信装置３０としての所期の機能を実現するための制御処理を実行する。上記の所期の機能のうちの１つは、後述する制御処理により実現される機能である。
【００３８】
ＲＯＭ３２は、上記のコンピュータの主記憶部分である。ＲＯＭ３２は、上記のオペレーティングシステムおよびアプリケーションプログラムを記憶する。またＲＯＭ３２は、ＣＰＵ３１が各種の処理を行う上で参照するデータを記憶する場合もある。
【００３９】
ＲＡＭ３３は、上記のコンピュータの主記憶部分である。ＲＡＭ３３は、ＣＰＵ３１が各種の処理を行う上で参照するデータを記憶する。さらにＲＡＭ３３は、ＣＰＵ３１が各種の処理を行う上で一時的に使用するデータを記憶しておく、いわゆるワークエリアとして利用される。
【００４０】
補助記憶デバイス３４は、上記のコンピュータの補助記憶部分である。補助記憶デバイス３４は、上記のアプリケーションプログラム、ＣＰＵ３１が各種の処理を行う上で使用するデータ、あるいはＣＰＵ３１での処理によって生成されたデータを保存する。補助記憶デバイス１４としては、例えばＥＥＰＲＯＭ、ＨＤＤ、あるいはＳＳＤなどを使用できる。補助記憶デバイス３４は、複数の広告コンテンツ３４ａ、複数のウェブコンテンツ３４ｂ、複数の制御情報３４ｃおよび関連テーブル３４ｄを記憶する。
【００４１】
広告コンテンツ３４ａは、サイネージ装置１０において、不特定の視聴者に向けて表示するための映像を含んだデータファイルである。
【００４２】
ウェブコンテンツ３４ｂは、情報端末２０からの要求に応じて情報端末２０へと配信するための映像を含んだデータファイルである。
【００４３】
制御情報３４ｃは、サイネージ装置１０から情報端末２０へとＮＦＣ通信により送信し、情報端末２０の動作を制御するための情報を含んだデータファイルである。制御情報３４ｃは、広告コンテンツ３４ａのいずれかに関連付けられている。制御情報３４ｃには、ウェブコンテンツ３４ｂのうちの１つの配信要求を情報端末２０に行わせるものを含み得る。
【００４４】
関連テーブル３４ｄは、広告コンテンツ３４ａと制御情報３４ｃとの関連付けを表したデータテーブルである。
【００４５】
図２は関連テーブル３４ｄの内容の一例を示す図である。
【００４６】
図２に示すように関連テーブル３４ｄは、広告コンテンツ３４ａの個々を特定するための広告ファイルパスと、制御情報３４ｃの個々を特定するための制御ファイルパスとを関連付けて記述している。
【００４７】
通信デバイス３５は、インターネット３００を介した通信を行う。通信デバイス３５は、インターネット３００およびモバイルネットワーク２００を介して情報端末２０と通信することもできる。
【００４８】
この情報配信装置３０のハードウェアとしては、例えば汎用のサーバ装置やコンピュータ装置を用いることができる。そしてこの種の装置が備える補助記憶デバイス３４に、その装置の販売者あるいは使用者によって、後述する制御処理について記述したアプリケーションプログラムである制御プログラムがインストールされるとともに、複数の広告コンテンツ３４ａ、複数のウェブコンテンツ３４ｂ、複数の制御情報３４ｃおよび関連テーブル３４ｄが書き込まれることにより情報配信装置３０が実現される。このとき制御プログラムは、磁気ディスク、光磁気ディスク、光ディスク、半導体メモリなどのようなリムーバブルな記録媒体に記録して、あるいはネットワークを介して販売者あるいは使用者へと配布される。なお制御プログラムは、ＲＯＭ３２に記憶されていても良い。
【００４９】
次に情報閲覧システム１００の動作について説明する。なお、以下に説明する処理の内容は一例であって、同様な結果を得ることが可能な様々な処理を適宜に利用できる。
【００５０】
サイネージ装置１０が動作状態にあるときにＣＰＵ１１は、ＲＯＭ１２または補助記憶デバイス１４に記憶された制御プログラムに従って以下に説明するような制御処理を行う。情報端末２０が動作状態にあるときにＣＰＵ２１は、ＲＯＭ２１または補助記憶デバイス２４に記憶された制御プログラムに従って以下に説明するような制御処理を行う。情報配信装置３０が動作状態にあるときにＣＰＵ３１は、ＲＯＭ３２または補助記憶デバイス３４に記憶された制御プログラムに従って以下に説明するような制御処理を行う。
【００５１】
図３はＣＰＵ３１の制御処理のフローチャートである。
【００５２】
Ａｃｔ１１においてＣＰＵ３１は、更新タイミングが到来したか否かを確認する。更新タイミングは、情報配信装置３０の設計者や管理者などにより任意に定められて良い。更新タイミングは、例えば一定の時間間隔毎のタイミングとすることが想定される。ＣＰＵ３１は、更新タイミングが到来していないためにＡｃｔ１１にてＮＯと判定したならば、Ａｃｔ１１を繰り返し実行する。かくしてＣＰＵ３１はＡｃｔ１１においては、更新タイミングが到来するのを待ち受ける。そしてＣＰＵ３１は、更新タイミングが到来したことに応じてＡｃｔ１１にてＹＥＳと判定したならば、Ａｃｔ１２へと進む。
【００５３】
Ａｃｔ１２においてＣＰＵ３１は、補助記憶デバイス３４に記憶された広告コンテンツ３４ａのうちの１つを選択する。ここで複数の広告コンテンツ３４ａのうちの何れを選択するかは、情報配信装置３０の設計者や管理者などにより任意に定められたルールに従って決定すれば良い。例えば、広告コンテンツ３４ａのそれぞれに割り当てられた番号が小さい順に選択するルールとすることが想定される。あるいは、予め定めたタイムテーブルにおいて現時点の配信対象として指定されている広告コンテンツ３４ａを選択するルールとすることが想定される。
【００５４】
Ａｃｔ１３においてＣＰＵ３１は、補助記憶デバイス３４に記憶された制御情報３４ｃのうちから、Ａｃｔ１２において選択した広告コンテンツ３４ａに関連テーブル３４ｄで関連付けられたものを選択する。
【００５５】
Ａｃｔ１４においてＣＰＵ３１は、Ａｃｔ１２で選択した広告コンテンツ３４ａとＡｃｔ１３で選択した制御情報３４ｃとを含んだ更新要求情報を、インターネット３００を介してサイネージ装置１０へ送信する。かくして制御プログラムに基づいて上記の制御処理をＣＰＵ３１が実行することによって、ＣＰＵ３１を中枢部分とするコンピュータと通信デバイス３５との協働により送信部としての機能が実現される。
【００５６】
そしてこの後にＣＰＵ３１は、Ａｃｔ１１の待ち受け状態に戻る。
【００５７】
図４はＣＰＵ１１の制御処理のフローチャートである。
【００５８】
Ａｃｔ２１においてＣＰＵ１１は、更新要求がなされたか否かを確認する。具体的にはＣＰＵ１１は、前述の様に情報配信装置３０から送信された更新要求情報が通信デバイス１７により受信されているか否かを確認する。そしてＣＰＵ１１は、更新要求情報が受信されていないならばＮＯと判定し、Ａｃｔ２２へと進む。
【００５９】
Ａｃｔ２２においてＣＰＵ１１は、送信要求がなされたか否かを確認する。具体的にはＣＰＵ１１は、後述の様に情報端末２０から送信される送信要求情報がＮＦＣユニット１５により受信されているか否かを確認する。そしてＣＰＵ１１は、送信要求情報が受信されていないならばＮＯと判定し、Ａｃｔ２１へと戻る。
【００６０】
かくしてＣＰＵ１１はＡｃｔ２１，２２において、情報配信装置３０からの更新要求がなされるか、あるいは情報端末２０からの送信要求がなされるのを待ち受ける。そしてＣＰＵ１１は、更新要求情報が受信されているためにＡｃｔ２１にてＹＥＳと判定したならば、Ａｃｔ２３へと進む。
【００６１】
Ａｃｔ２３においてＣＰＵ１１は、更新要求情報に含まれるデータファイル、すなわち広告コンテンツおよび制御情報を、広告コンテンツ１４ａおよび制御情報１４ｂとして補助記憶デバイス１４に保存する。なお、ＣＰＵ１１は、補助記憶デバイス１４に広告コンテンツ１４ａおよび制御情報１４ｂが既に記憶されているならば、新たな広告コンテンツおよび制御情報により広告コンテンツ１４ａおよび制御情報１４ｂを上書き保存する。かくして、補助記憶デバイス１４には、１組の広告コンテンツ１４ａおよび制御情報１４ｂが保存される。かくして制御プログラムに基づいて上記の制御処理をＣＰＵ１１が実行することによって、ＣＰＵ１１を中枢部分とするコンピュータと通信デバイス１７との協働によって、第１および第２の取得部としての機能が実現される。
【００６２】
Ａｃｔ２４においてＣＰＵ１１は、Ａｃｔ２３にて補助記憶デバイス１４に保存した広告コンテンツ１４ａに基づいての表示デバイス１６での映像表示を開始する。この映像表示は、動画表示、スライドショー表示、静止画表示のいずれであっても良い。ＣＰＵ１１は、この映像表示のための処理を、図４に示す制御処理とは別タスクの処理として、図４に示す制御処理と並行して実行する。ＣＰＵ１１は図４に示す制御処理においては、こののちにＡｃｔ２１，２２の待ち受け状態に戻る。かくして制御プログラムに基づいて上記の制御処理をＣＰＵ１１が実行することによって、ＣＰＵ１１を中枢部分とするコンピュータは第１の制御部として機能する。
【００６３】
このようにサイネージ装置１０では、更新タイミングとなる毎に、表示デバイス１６で表示する映像が変更される。つまり、サイネージ装置１０での広告の内容は、更新タイミングとなる毎に変更される。
【００６４】
図５はＣＰＵ２１の制御処理のフローチャートである。
【００６５】
Ａｃｔ３１においてＣＰＵ２１は、ＮＦＣユニット２５によるＮＦＣ通信が可能となったか否かを確認する。そしてＣＰＵ２１は、ＮＦＣ通信を行うことができない状況であるためにＮＯと判定したならば、Ａｃｔ３１を繰り返す。かくしてＡｃｔ３１においてＣＰＵ２１は、ＮＦＣ通信が可能になるのを待ち受ける。そしてＣＰＵ２１は、ＮＦＣ通信が可能となったためにＹＥＳと判定したならば、Ａｃｔ３２へと進む。
【００６６】
Ａｃｔ３２においてＣＰＵ２１は、送信要求情報をＮＦＣユニット２５に送信させる。
【００６７】
Ａｃｔ３３においてＣＰＵ２１は、送信要求情報を送信してから予め定められた待機時間が経過するまでの間に、ＮＦＣユニット２５により制御情報が受信されたか否かを確認する。
【００６８】
さて、情報端末２０の使用者は、サイネージ装置１０の表示デバイス１６で表示されている広告に興味を持った場合、サイネージ装置１０に情報端末２０を近接させる。これによりＮＦＣユニット２５がＮＦＣユニット１５との通信可能範囲に入ると、ＮＦＣユニット２５がＮＦＣ通信可能な状態となり、情報端末２０から送信要求情報が送信される。この送信要求情報は、ＮＦＣユニット１５により受信される。
【００６９】
サイネージ装置１０においてＣＰＵ１１は、送信要求情報がＮＦＣユニット１５により受信されると、図４に示すＡｃｔ２２においてＹＥＳと判定し、Ａｃｔ２５へと進む。
【００７０】
Ａｃｔ２５においてＣＰＵ１１は、補助記憶デバイス１４に記憶されている制御情報をＮＦＣユニット１５に送信させる。そしてこののちにＣＰＵ１１は、Ａｃｔ２１，２２の待ち受け状態に戻る。かくして制御プログラムに基づいて上記の制御処理をＣＰＵ１１が実行することによって、ＣＰＵ１１を中枢部分とするコンピュータは第２の制御部として機能し、ＮＦＣユニット１５が第２の制御部による制御対象としての通信デバイスに相当する。
【００７１】
ＮＦＣユニット１５から送信された制御情報が情報端末２０に到達すると、これがＮＦＣユニット２５により受信される。かくしてＮＦＣユニット２５は受信部の一例である。なお、ＮＦＣユニット２５が、サイネージ装置１０とは異なる装置に設けられたＮＦＣユニットと通信した場合、当該相手のＮＦＣユニットからはＮＦＣユニット１５から送信されるのと同様な制御情報は送信されないので、ＮＦＣユニット２５は当該制御情報を受信できない。
【００７２】
そこでＣＰＵ２１は、待機時間が経過しても制御情報を受信できないために図５のＡｃｔ３３にてＮＯと判定したならば、Ａｃｔ３１の待ち受け状態に戻る。これに対してＣＰＵ２１は、上記のように制御情報がＮＦＣユニット２５により受信されたことによりＡｃｔ３３にＹＥＳと判定したならば、Ａｃｔ３４へと進む。
【００７３】
Ａｃｔ３４においてＣＰＵ２１は、ＮＦＣユニット２５により受信された制御情報が、ウェブアクセスの実行を指示するものであるか否かを確認する。そしてＣＰＵ２１はＹＥＳと判定したならば、Ａｃｔ３５へと進む。
【００７４】
Ａｃｔ３５においてＣＰＵ２１は、制御情報に従ったウェブアクセス処理を実行する。ウェブアクセス処理の内容は、制御情報において適宜に定義されて良い。具体的には例えばＣＰＵ２１は、通信デバイス２７によりモバイルネットワーク２００を介してインターネット３００へとアクセスし、制御情報に示されたウェブサイトで提供される情報を取得し、この情報に応じた画像をタッチパネル２６に表示させる。そしてこののちにＣＰＵ２１は、Ａｃｔ３１の待ち受け状態に戻る。
【００７５】
ＣＰＵ２１は、ＮＦＣユニット２５により受信された制御情報が、ウェブアクセスの実行を指示するものではないためにＡｃｔ３４にてＮＯと判定したならば、Ａｃｔ３６へと進む。
【００７６】
Ａｃｔ３６においてＣＰＵ２１は、ＮＦＣユニット２５により受信された制御情報が、アプリケーションの起動を指示するものであるか否かを確認する。そしてＣＰＵ２１はＹＥＳと判定したならば、Ａｃｔ３７へと進む。
【００７７】
Ａｃｔ３７においてＣＰＵ２１は、制御情報に従ってアプリケーションを起動する。そしてこののちにＣＰＵ２１は、Ａｃｔ３１の待ち受け状態に戻る。
【００７８】
ＣＰＵ２１は、ＮＦＣユニット２５により受信された制御情報が、アプリケーションの起動を指示するものでもないためにＡｃｔ３６にてＮＯと判定したならば、Ａｃｔ３８へと進む。
【００７９】
Ａｃｔ３８においてＣＰＵ２１は、制御情報に応じた処理を実行する。そしてこののちにＣＰＵ２１は、Ａｃｔ３１の待ち受け状態に戻る。
【００８０】
かくして制御プログラムに基づいて上記の制御処理をＣＰＵ２１が実行することによって、ＣＰＵ２１を中枢部分とするコンピュータは処理部として機能する。
【００８１】
以上のような各種の制御処理の下でのサイネージ装置１０、情報端末２０および情報配信装置３０の動作の結果として情報閲覧システム１００では、次のように動作する。
【００８２】
図６はサイネージ装置１０、情報端末２０および情報配信装置３０の動作例のタイミング図である。
【００８３】
更新タイミングＴ１においては、情報配信装置３０が、広告コンテンツＡ１と制御情報Ｂ１とを含んだ更新要求情報をサイネージ装置１０へと送信している。そしてこれに応じて、サイネージ装置１０が補助記憶デバイス１４で保存するファイルは、広告コンテンツＡ１および制御情報Ｂ１となる。サイネージ装置１０は、次の更新タイミングＴ２までの期間Ｐ１においては、広告コンテンツＡ１および制御情報Ｂ１を保存し続ける。そしてサイネージ装置１０は、期間Ｐ１には、広告コンテンツＡ１に応じた映像Ｃ１をタッチパネル２６にて表示する。
【００８４】
期間Ｐ１において、情報端末２０がサイネージ装置１０に近接されて、送信要求情報が情報端末２０からサイネージ装置１０へと送信されると、サイネージ装置１０は制御情報Ｂ１を情報端末２０へ送信する。そして情報端末２０は、制御情報Ｂ１に応じた動作Ｄ１を実行する。
【００８５】
制御情報Ｂ１は、広告コンテンツＡ１に予め関連付けられている。制御情報Ｂ１は例えば、広告コンテンツＡ１での広告商品に関する詳細な情報をウェブコンテンツへのアクセスを情報端末２０に行わせるものとすることが考えられる。この場合に動作Ｄ１は、モバイルネットワーク２００およびインターネット３００を介して該当するウェブコンテンツにアクセスし、該当するコンテンツをタッチパネル２６において表示する動作となる。例えば、制御情報Ｂ１を、情報配信装置３０の補助記憶デバイス３４に記憶されたウェブコンテンツ３４ｂの１つにアクセスするための情報としておくことにより、ウェブコンテンツ３４ｂに応じた表示をタッチパネル２６にて行わせることが可能となる。もちろん制御情報Ｂ１は、情報配信装置３０とは異なるサーバ装置にて提供されるウェブコンテンツにアクセスするための情報とすることもできる。
【００８６】
一例として、映像Ｃ１をビールに関するイメージ映像とし、動作Ｄ１を上記のビールに関する特売情報をタッチパネル２６にて表示する動作とすることができる。
【００８７】
図７は上記のような状況の一例を表す図である。
【００８８】
図６における更新タイミングＴ２においては、情報配信装置３０が、広告コンテンツＡ２と制御情報Ｂ２とを含んだ更新要求情報をサイネージ装置１０へと送信している。そしてこれに応じて、サイネージ装置１０が補助記憶デバイス１４で保存するファイルは、広告コンテンツＡ２および制御情報Ｂ２となる。サイネージ装置１０は、次の更新タイミングまでの期間Ｐ２においては、広告コンテンツＡ２および制御情報Ｂ２を保存し続ける。そしてサイネージ装置１０は、期間Ｐ２には、広告コンテンツＡ２に応じた映像Ｃ２をタッチパネル２６にて表示する。
【００８９】
期間Ｐ２において、情報端末２０がサイネージ装置１０に近接されて、送信要求情報が情報端末２０からサイネージ装置１０へと送信されると、サイネージ装置１０は制御情報Ｂ２を情報端末２０へ送信する。そして情報端末２０は、制御情報Ｂ２に応じた動作Ｄ２を実行する。
【００９０】
制御情報Ｂ２は、広告コンテンツＡ２に予め関連付けられている。制御情報Ｂ２は例えば、広告コンテンツＡ２での広告サービスを利用するためのアプリケーションを情報端末２０に実行させるものとすることが考えられる。この場合に動作Ｄ２は、該当するアプリケーションの実行である。
【００９１】
このように情報閲覧システム１００によれば、サイネージ装置１０で表示される映像に関連した何らかの動作を情報端末にて簡易に行わせることができる。
【００９２】
この実施形態は、次のような種々の変形実施が可能である。
【００９３】
サイネージ装置１０と情報端末２０との通信は、Bluetooth（登録商標）や無線ＬＡＮなどの別の方式の無線通信によっても良いし、モバイルネットワーク２００およびインターネット３００を介しての通信によっても良い。そしてその通信は、例えばタッチパネル２６での所定の操作に応じて開始されても良い。
【００９４】
サイネージ装置１０は、表示デバイス１６を備えず、外部の表示デバイスを制御するものであっても良い。
【００９５】
サイネージ装置１０は、複数の広告コンテンツ３４ａと、複数の制御情報３４ｃとをＲＯＭ１２、ＲＡＭ１３および補助記憶デバイス１４のいずれかに記憶しておき、この記憶した複数の広告コンテンツ３４ａのうちの１つに応じた映像表示を行うとともに、記憶した制御情報のうちの表示映像に関連するものをＮＦＣ送信するようにしても良い。この場合には、情報配信装置３０を備えずに情報閲覧システムを構築可能である。
【００９６】
広告コンテンツ３４ａ、ウェブコンテンツ３４ｂ、制御情報３４ｃおよび関連テーブル３４ｄは、複数の記憶デバイスに分散して記憶されていても良い。
【００９７】
ウェブコンテンツ３４ｂは、情報配信装置３０とは別の情報配信装置から配信されても良い。
【００９８】
サイネージ装置１０に代えてテレビジョン受像器を用い、情報配信装置３０に代えてテレビジョン放送装置を用いることもできる。この場合は例えば、主チャネルで伝送する映像が広告コンテンツに代わり、データ放送により制御情報を伝送することができる。つまり、情報配信装置から映像機器へと映像情報と制御情報とを送ることができるのであれば、それら映像情報および制御情報の内容と伝送形式とは任意であって良い。
【００９９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１００】
１０…サイネージ装置、１１…ＣＰＵ、１２…ＲＯＭ、１３…ＲＡＭ、１４…補助記憶デバイス、１５…ＮＦＣユニット、１６…表示デバイス、１７…通信デバイス、２０…情報端末、２１…ＣＰＵ、２２…ＲＯＭ、２３…ＲＡＭ、２４…補助記憶デバイス、２５…ＮＦＣユニット、２６…タッチパネル、２７…通信デバイス、３０…情報配信装置、３１…ＣＰＵ、３２…ＲＯＭ、３３…ＲＡＭ、３４…補助記憶デバイス、３５…通信デバイス、１００…情報閲覧システム、２００…モバイルネットワーク、３００…インターネット。
【図１】
2015231161.tif 000003
【図２】
2015231161.tif 000004
【図３】
2015231161.tif 000005
【図４】
2015231161.tif 000006
【図５】
2015231161.tif 000007
【図６】
2015231161.tif 000008
【図７】
2015231161.tif 000009